(57)【要約】【課題】液体タンクの残量を段階的に検知し電気信号にする手段として超音波、フロート等を使用した装置があるが前者は高価であり後者は取付けが難しい。安価で取付けの簡単な電気信号を出力する液体残量検知装置が要望されている。【解決手段】本発明によれば圧力スイッチの圧力を受けて動くダイアフラムの動きを梃子により拡大して、梃子に取付けられたマグネットを大きく動かして２個以上のリードスイッチをマグネットの動きによって順次ＯＮ、ＯＦＦする多段圧力スイッチで圧力を検知して電気信号とし電気的に接続した無線子機で無線発信するのであるから、液体タンクの下部又は液体の配管に多段圧力スイッチを取付ければ良く取付けが簡単であり安価な液体残量検知装置が提供出来る。【選択図】  図１
2004309194.tif 000002
【特許請求の範囲】
【請求項１】
圧力スイッチの圧力を受けて動くダイアフラムの動きで、一端を回転自在に支持して支点とし、他端にマグネットを取付けた梃子を動かしてマグネットの動きを拡大し、マグネットの動きに合わせた対向する位置にリードスイッチを二個以上取付け、マグネットの動きで順次リードスイッチをＯＮ、ＯＦＦして２種類以上の圧力信号を出力出来るようにした多段圧力スイッチを液体タンクの下部又は配管に取付け液体の残量を段階的に検知出来るようにした液体残量検知装置
【請求項２】
圧力スイッチの圧力を受けて動くダイアフラムの動きで、一端を回転自在に支持して支点とし、他端にマグネットを取付けた梃子を動かしてマグネットの動きを拡大し、マグネットの動きに合わせた対向する位置にリードスイッチを二個以上取付け、マグネットの動きでマグネットの磁界の上端又は下端により順次リードスイッチをＯＮ、ＯＦＦしてマグネットの磁界内にあるリードスイッチをＯＮ状態に維持して２種類以上の圧力信号を出力出来るようにした多段圧力スイッチを液体タンクの下部又は配管に取付け液体の残量を段階的に検知出来るようにした液体残量検知装置
【請求項３】
液体タンクの下部又は配管に取付けた多段圧力スイッチと無線子機を電気的に接続して多段圧力スイッチの信号を無線子機により無線発信するようにした請求項１及び請求項２記載の液体残量検知装置
【発明の詳細な説明】
【０００１】
【発明の属する技術分野】
本発明は給湯暖房等に使用するボイラー用灯油タンクの灯油残量、醤油タンクの醤油残量等液体を貯えるタンクの液体残量を検知する装置に関する。
【０００２】
【従来の技術】
【参考文献１】特開Ｈ１１−２８１０４７
【参考文献２】特開２０００−３５７２８２
従来は液体タンクの上部よりフロートを差し込みフロートの上下を縮小表示して、液体の残量を確認し液体の供給を行っていたが、最近供給の効率化、計画的供給とする為に液体の残量を信号化してＩＴを使用した液体供給システムの構築が進められている。しかし効率の良い供給を図る為には、液体の残量を危険ゾーンだけで無く多、中、少等段階的な表示をして、危険ゾーンだけでなく中、少を含めた配給計画をする必要がある。従って液体の残量センサーは残量を２点以上出力する装置が必要であり、フロートの動きを検知するフロート式に加え最近超音波により液体の表面位置を検知する超音波式残量装置が開発された。
【０００３】
【発明が解決しようとする課題】
しかし超音波式は複雑で高価であり、フロート式は上部から取付ける為に残量確認が必要であり又取付け穴の合わない場合等があり取付けが困難である。本発明は圧力スイッチを使用して安価で取付けも簡単な残量を２点以上出力する液体残量検知装置の提供を目的とする。
【０００４】
【問題を解決する為の手段】
上記の課題を解決する手段として請求項１の発明では圧力スイッチの圧力を受けて動くダイアフラムの動きで、一端を回転自在に支持して支点とし、他端にマグネットを取付けた梃子を動かしてマグネットの動きを拡大し、マグネットの動きに合わせた対向する位置にリードスイッチを二個以上取付け、マグネットの動きで順次リードスイッチをＯＮ、ＯＦＦして２種類以上の圧力信号を出力出来るようにした多段圧力スイッチを液体タンクの下部又は配管に取付け液体の残量を段階的に検知出来るようにした液体残量検知装置であるから、取付けが取付け穴等の制限が無く簡単で安価に残量の段階検知が出来る。
【０００５】
請求項２の発明では圧力スイッチの圧力を受けて動くダイアフラムの動きで、一端を回転自在に支持して支点とし、他端にマグネットを取付けた梃子を動かしてマグネットの動きを拡大し、マグネットの動きに合わせた対向する位置にリードスイッチを二個以上取付け、マグネットの動きでマグネットの磁界の上端又は下端により順次リードスイッチをＯＮ、ＯＦＦしてマグネットの磁界内にあるリードスイッチをＯＮ状態に維持して２種類以上の圧力信号を出力出来るようにした多段圧力スイッチを液体タンクの下部に取付け液体の残量を段階的に検知出来るようにした液体残量検知装置であるから、液体の残量が多い場合にはリードスイッチがすべてＯＮで残量が少なくなるに従って順次ＯＦＦするか又はすべてＯＦＦで残量が少なくなるに従って順次ＯＮするので液体の残量を表示するに当たり簡単な回路で出来る。
【０００６】
請求項３の発明では液体タンクの下部又は配管に取付けた多段圧力スイッチと無線子機を電気的に接続して多段圧力スイッチの信号を無線子機により無線発信するようにした請求項１及び請求項２記載の液体残量検知装置であるから無線子機からの信号を無線親機で受けてスプリッター等により液体供給元に信号を送れば、液体供給元で液体残量を段階的に知ることが出来るので効率的な液体供給計画とすることが出来る。無線子機からの信号により屋内のリモコン等に残量表示をする事も出来る。
【０００７】
【発明の実施の形態】
図１は本発明を適用した液体残量検知装置に用いる多段圧力スイッチの一実施形態を示す図であり、図２は前記多段圧力スイッチを灯油タンクに取付け無線発信をする液体残量検知装置の概略図である。
【０００８】
まず図１により本発明を適用した液体残量検知装置に用いる多段圧力スイッチＡについて説明する。圧力導入口７を有するベース１と中心部に軸５を貫通する穴を穿つた案内筒３を固定したカバー２とで外部に対して水密にダイアフラム４を保持する。ダイアフラム４の中心に軸５をカバー２に固定された案内筒３を貫通させて載せ、ダイアフラム４の動きと共に軸５が動くようにして感圧部Ｂを構成する。圧力導入口７には多段圧力スイッチＡを液体タンクの下部又は配管に取付ける為のナット８を回転自在に取付けてある。
【０００９】
電装板１０の下部に一端を第１支点１１により回転自在に支持され他端を摺動しやすくした摺動点１２とした第１梃子１３を取付ける。第１梃子１３の摺動点１２の動きをさらに拡大する為に一端を第２支点１４により回転自在に支持し他端にマグネット１５を取付けた第２梃子１６を第１梃子１３の摺動点１２に対応させて取付ける。複数個（実施例では三個）のリードスイッチ１７をマグネット１５の動く方向に並べて配線取付けた基板１８をマグネット１５に対応する位置に取付ける。そして第２梃子１６を附勢するように第２支点１４とマグネット１５の間にバネ１９を支持金具２０により取付け電装部Ｃを構成する。
【００１０】
感圧部Ｂの軸５に電装部Ｃの第１梃子１３を対応させてカバー２に設けられた取付け板２１に電装板１０を取付け感圧部Ｂと電装部Ｃを組付けることで多段圧力スイッチＡを構成する。リードスイッチの感圧位置の調整は電装板１０の取付け位置を上下動又は回転動することで調整する。マグネット１５の上昇と共にリードスイッチ１７が順次ＯＮ、ＯＦＦさせる場合はリードスイッチ１７の間隔を広くしマグネット１５の磁力を弱くしてマグネット１５の磁場がリードスイッチ一個分に働くようにすればよい。又マグネット１５の上限位置でマグネット１５の磁場がリードスイッチ全部をカバーして全リードスイッチ１７をＯＮにしてマグネット１５が下降するにつれて順次リードスイッチ１７がＯＦＦする又はマグネット１５の上限位置でマグネット１５の磁場が全リードスイッチ外とし全リードスイッチ１７をＯＦＦにしてマグネット１５が下降するにつれて順次リードスイッチ１７がＯＮするには、リードスイッチ１７の間隔を狭くしマグネット１５の磁力を強くして、マグネット１５の磁場がリードスイッチ全部をカバーするようにすればよい。そしてリードスイッチ１７と無線子機２２を電気的に接続しリードスイッチ１７の信号を無線子機より発信すれば無線親機２３で受けてＮＣＵ２４、スプリッター２５等を通して供給元に信号を送ることが出来る。又リードスイッチ１７の信号で表示ランプ等を点滅して残量表示も出来る。
【００１１】
以上のように構成された多段圧力スイッチＡを図２に示す如く灯油タンク２６の下部の給油管２７に接続ナット８により取付けると、灯油タンクの灯油が圧力導入口７から入りダイアフラム４を加圧する。ダイアフラム４が上昇すると軸５が案内筒３を摺動して上昇して第１梃子１３を押し上げ第１梃子１３の摺動点１２が第２梃子１６を押し上げマグネット１５を上昇させる。マグネット１５の磁力がリードスイッチ１７を順次ＯＮして液体の量に見合った信号を出力して無線子機２２に信号を送り発信する。  その信号を無線親機２３で受信してＮＣＵ２４、スプリッター２５等により電話線を介して灯油供給元に送信する事で灯油の残量状況が灯油供給元で確認出来るので、効率的な灯油供給を行うことが出来る。又リードスイッチ１７により屋内のリモコン等の表示ランプを点灯することで灯油残量をリモコンに表示することも出来る。
【００１２】
【発明の効果】本発明によれば液体タンクの下部に一個の多段圧力スイッチを取付けることで液体残量を多、中、少等の状況を信号として得ることが出来るので、その信号をＮＣＵ、スプリーター等により電話線を介して液体供給元に液体残量状況を知らしめる供給システムを簡単に安価に構築出来る。又その信号によりリモコン等の表示ランプを点滅することで、屋内に於いて液体残量状況を知ることが出来るようになる。又液体残量検知部が圧力スイッチであるからタンク下部、液体供給配管等に取付ければ良く既存のタンクであっても簡単に取付けが可能であり、設備の変更することなく供給システムの構築が出来る。
【図面の簡単な説明】
【図１】本発明の液体残量検知装置に用いる多段圧力スイッチの縦断面図
【図２】本発明の液体残量検知装置の概略図
【符号の説明】
１――ベース          ２――カバー              ３――案内筒
４――ダイアフラム    ５――軸                  ８――接続ナット
９――パッキン        １０――電装板            １１――第１支点
１３――第１梃子      １４――第２支点            １５――マグネット
１６――第２梃子      １７――リードスイッチ      １８――基板
１９――バネ          ２１――取付け板            ２２――無線子機
２３――無線親機
【図１】
2004309194.tif 000003
【図２】
2004309194.tif 000004